(57)【要約】【課題】玄関内に脱がれた履物の向きを変える道具である。【解決手段】杖の様な長い支持棒の下端に、第１ヘラ、第２ヘラを下端に設け、上部には握り手（１）を設け、そのすぐ下に指掛け爪（２）を設けて置き、この爪を引きあげることで下部にある第１ヘラを横に倒し履物の甲部を持ち上げ、第２ヘラは履物の底部を強く押し楔状にして抜けないよう工夫して履物を落とすことなく目的の場所まで確実に移動させることができる道具。【選択図】図１
2010158446.tif 000002
【特許請求の範囲】
【請求項１】
本体パイプ（６）と、該本体パイプ（６）の外周面に挿入され、該外周面に摺動可能に設置された操作パイプ（５）と、該操作パイプ（５）の下端部に固定されたアーム付部品（７）と、該アーム付部品（７）のアーム（１６）と回動可能に連結され、かつ、前記本体パイプ（６）とその下端で回動可能に連結された第１のヘラ（１０）と、前記本体パイプ（６）の下端に固定された第２のヘラ（９）と、前記操作パイプ（５）の上端部の外周面に固定された指掛爪部品（２）と、前記本体パイプ（６）の上部から挿入され、下端部が前記操作パイプ（５）の上端面で接するスプリング（３）と、前記本体パイプ（６）の上端面に固定されるとともに、該本体パイプ（６）の上端部を密閉する握手（１）とからなることを特徴とする２枚ヘラで履物の向きを変える道具。
【発明の詳細な説明】
【技術分野】
【０００１】
玄関に置かれた履物の向きを変える道具である。外から入ってきた家人又はお客様が家の中方向に向けて履物を脱ぐが、この様な時に履物の向きを変えておくとお客様がお帰りになる時も履物が前向になっていると履物が履き易くなる。玄関内をいつも整理整頓しておくとお客様か見ても印象が良くなる。これらの事を可能にする道具に関するものである。
【背景技術】
【０００２】
実用公開公報昭６３−７５２７９の履物バンドでの２本の掴み腕で掴み履物を移動する仕組の道具である。これを見てみると、左右の履物がいつも揃っているとは限らないのでむずかしい作業となる。又、草履、下駄、スリッパ、サンダルには使えない、以上の様な欠点がある。
【０００３】
発明は支持棒の先端に履物保持部が２股のＬ字状になっていて、この２股部を履物の中に差し込み持ち上げて移動する様になっている。これをよく調べてみると、２股の保持部を履物の中に入れる時は良いが、抜き取る際には、前方に大きく倒さないと抜き取りが出来ない。これでは手で整理した方が良いのではないかと思う。その他にも長靴、ブーツ、草履、下駄などには適用使用ない欠点がある。
【先行技術文献】
【特許文献】
【０００４】
【特許文献１】特開平１２−３２８０１０号
【発明の概要】
【発明が解決しようとする課題】
【０００５】
この発明は、革靴、ハイヒール、長靴、ブーツ、下駄、草履、サンダル、スリッパなどの向きを変えられる様にする。
【課題を解決するための手段】
【０００６】
履物を確実に吊り上げられる様にするためには、２枚のヘラを使う、このヘラは第１ヘラと第２ヘラで、この内第１ヘラで履物の甲部を吊り上げる、第２ヘラは履物の底部をおさえる、この状態は丁度楔を差し込んだ様になりぶれもなく落とさずに掴ことが出来て移動が容易になる。又、抜き取りは手元の（２）指掛爪を離せば第１ヘラが下向きになりヘラは簡単に抜きだせる。
【発明の効果】
【０００７】
１人暮の家庭の場合でも、朝は新聞と手紙を取りに出る、ゴミ出し、病院に行く、来客、庭の手入れ、ウォーキング、スーパーへの買出し、以上の行動には必ず帰りがあり、こんな時に履物の向きを変える道具は大変便利である。
腰を屈めて行っていた作業がなくなり楽になった。
【図面の簡単な説明】
【０００８】
【図１】２本のヘラで履物の向きを変える道具の全体図で断面図
【図２】本体軸パイプを左面側から見た側面図
【図３】操作用パイプを左面側から見た側面図
【図４】操作用パイプの上部に指掛爪具を設け下部に（１６）の部品を付けた側面図
【図５】本体軸パイプの側面図
【図６】（１）握り手を下面から見た平面図と側面から見た断面図
【図７】第１ヘラを上部から見た平面図
【図８】第１ヘラの側面図
【図９】第２ヘラの平面図
【図１０】第２ヘラの側面図
【図１１】（７）はアーム付部品の断面図
【図１２】（１６）のアーム付（７）の部品でＡ面側から見た側面図
【図１３】（１６）のアーム付（７）の部品の側面図
【図１４】（１０）の第１ヘラ部を履物の中に入れ（２）の指掛具を引き上げて第１ヘラを横にして靴を持ち上げる状態を示す側面透視図
【図１５】２枚ヘラで履物の向きを変える道具の使い勝手を示す側面図
【図１６】固定用のボルトとナットの斜視図
【図１７】反発型スプリングの斜視図
【図１８】指掛爪部品の斜視図
【図１９】圧着用釘の全体図の斜視図
【図２０】アーム付部品の斜視図
【図２１】〈１〉握手の外観図の斜視図
【図２２】第１ヘラの全体図の斜視図
【発明を実施するための形態】
【実施例】
【０００９】
１．（５）操作パイプを（６）の本体軸パイプの外側に設ける。
２．（２）の指掛爪部品を（５）操作パイプ上部へ差し込み（１５）のボトルで（２）指掛爪部品は操作パイプ、本体軸パイプに貫通し固定する。
３．（３）のスプリングを（６）本体軸パイプの上Ｃ面側から差し込み、上部先端（１）握手をねじ込み接着剤等で固定する。
４．（５）操作パイプの下部から（１６）のアーム付の（７）の部品を差し込み（１４）のリベットで操作パイプに固定する。
５．第１ヘラを取り付けるのは、（１９）支持板にある（２０）の孔の所を（６）本体軸の下部に（１５）ボトルで回動出来るようにして固定する。（１９）の支持板にある（２１）の孔部を（１６）のアームに回動出来るように固定する。
６．第２ヘラの取り付けは（６）本体軸パイプの下部にある２の孔に第２ヘラの細くなっている所に２つの孔があるので、ここに（１４）のリベットにて動かないように固定する。
【産業上の利用可能性】
【００１０】
道具は出入り口の傘立てに保管して置き必要時にはすぐ使えるように家庭の玄関、町内の集会場、事務所、旅館、診療所、趣味の教室等に使用でき便利である。
【符号の説明】
【００１１】
１  握手
２  指掛爪
３  反発スプリング
４  固定用ボルト
５  操作パイプ
６  本体軸パイプ
７  第１ヘラを動かすためのアーム付部品
８  孔バカ穴
９  第２ヘラ
１０  第１ヘラ
１１  貫通孔
１２  リベットの頭がぶつからない様にした長孔
１３  ネジ山
１４  リベット
１５  固定用ボトル
１６  孔
１７  草履
１８  靴
１９  第１ヘラの支持板
２０  本体軸の下端に設けるための孔
２１（１６）のアームに固定するための孔
２２  下駄や草履の鼻緒を収めるための切り込み
Ｉ、Ｊ、Ｋ、Ｌは使い勝手を示す記号図
【図１】
2010158446.tif 000003
【図２】
2010158446.tif 000004
【図３】
2010158446.tif 000005
【図４】
2010158446.tif 000006
【図５】
2010158446.tif 000007
【図６】
2010158446.tif 000008
【図７】
2010158446.tif 000009
【図８】
2010158446.tif 000010
【図９】
2010158446.tif 000011
【図１０】
2010158446.tif 000012
【図１１】
2010158446.tif 000013
【図１２】
2010158446.tif 000014
【図１３】
2010158446.tif 000015
【図１４】
2010158446.tif 000016
【図１５】
2010158446.tif 000017
【図１６】
2010158446.tif 000018
【図１７】
2010158446.tif 000019
【図１８】
2010158446.tif 000020
【図１９】
2010158446.tif 000021
【図２０】
2010158446.tif 000022
【図２１】
2010158446.tif 000023
【図２２】
2010158446.tif 000024
【手続補正書】
【提出日】平成21年2月18日(2009.2.18)
【手続補正１】
【補正対象書類名】明細書
【補正対象項目名】全文
【補正方法】変更
【補正の内容】
【発明の詳細な説明】
【技術分野】
【０００１】
玄関に置かれた履物の向きを変える道具である。外から入ってきた家人又はお客様が家の中方向に向けて履物を脱ぐが、この様な時に履物の向きを変えておくとお客様がお帰りになる時も履物が前向になっていると履物が履き易くなる。玄関内をいつも整理整頓しておくとお客様が見ても印象が良くなる。これらの事を可能にする道具に関するものである。
【背景技術】
【０００２】
実用公開公報昭６３−７５２７９号の道具は、２本の掴み腕で履物を掴んで移動させるものである。これを見てみると、左右の履物がいつも揃っているとは限らないのでむずかしい作業となる。又、草履、下駄、スリッパ、サンダルには使えない。
【０００３】
この道具は、支持棒の先端の履物保持部が２股のＬ字状になっていて、この２股部を履物の中に差し込み持ち上げてこれを移動させるようになっている。これをよく調べてみると、２股の保持部を履物の中に入れるときは良いが、抜き取る際には、前方に大きく倒さないと抜き取りが出来ない。これでは手で履物を整理した方が良いのではないかと思う。
【先行技術文献】
【特許文献】
【０００４】
【特許文献１】特開平１０−３２８０１０号
【発明の概要】
【発明が解決しようとする課題】
【０００５】
この発明は、支持棒の先端に、履物の中に入れ易く、かっ抜き取り易い第１ヘラと第２ヘラを設けた履物の向きを変える道具を提供することを課題とする。
【課題を解決するための手段】
【０００６】
履物を確実に吊り上げられる様にするために、この発明は、支持棒の先端部に設けた第１と第２の２枚のヘラを使う構成したものである。このうち第１ヘラで履物の甲部を吊り上げる。第２ヘラは履物の底部をおさえる。
この状態では両ヘラは着物の中に丁度楔のようにさしこまれぶれを生じなくなる。このため、履物を掴んで落とさず移動させることができる。両ヘラは、抜き取りは手元の指掛け爪を離せば第１ヘラが下向きになり簡単に抜きだせる。
【発明の効果】
【０００７】
１人暮の家庭の場合でも、朝は新聞と手紙を取りに出る、ゴミを出す。病院に行く。来客がある。庭の手入れをする。ウオーキング、スーパーに行く。これらの行動には必ず帰りがあり、こんな時に履物の向きを変える道具は大変便利である。第１、第２の両へラの差し込み、抜き取りが容易になるからである。
【図面の簡単な説明】
【０００８】
【図１】履物の向きを変える道具の断面図
【図２】本体軸パイプの左側面図
【図３】操作用パイプの左側面図
【図４】上部に指掛け爪具を設け下部に部品を付けた操作用パイプの側面図
【図５】本体軸パイプの側面図
【図６】握り手を下面から見た平面図と側面から見た断面図
【図７】第１ヘラを上部から見た平面図
【図８】第１ヘラの側面図
【図９】第２ヘラの平面図
【図１０】第２ヘラの側面図
【図１１】アーム付部品の断面図
【図１２】アーム付部品のＡ面側から見た側面図
【図１３】アーム付部品の側面図
【図１４】第１ヘラ部を履物の中に入れ、指掛具を引き上げて第１ヘラを横にして靴を持ち上げる状態を示す側面図
【図１５】２枚のヘラで履物の向きを変える道具の使い方を示す側面図
【図１６】固定用のボルトとナットの斜視図
【図１７】反発型スプリングの斜視図
【図１８】指掛け爪部品の斜視図
【図１９】圧着用釘の斜視図
【図２０】アーム付部品の斜視図
【図２１】握り手の斜視図
【図２２】第１ヘラの斜視図
【発明を実施するための形態】
【実施例】
【０００９】
１．（５）操作パイプを（６）の本体軸パイプの外側に設ける。
２．（２）の指掛け爪部品を（５）操作パイプ上部へ差し込み（１５）のボルトで（２）指掛け爪部品は操作パイプ、本体軸パイプに貫通し固定する。
３．（３）のスプリングを（６）本体軸パイプ上Ｃ面側から差し込み、上部先端（１）握り手をねじ込み接着剤等で固定する。
４．（５）操作パイプの下部から（１６）のアーム付の（７）の部品を差し込み（１４）のリベットで操作パイプに固定する。
５．第１ヘラを取り付けるのは（１９）支持板にある（２０）の孔の所を（６）本体軸の下部に（１５）ボルトで回転出来るようにして固定する。（１９）の支持板にある（２１）の孔部を（１６）のアームに回動出来るように固定する。
６．第２ヘラの取り付けは（６）本体軸パイプの下部にある２の孔に第２ヘラの細くなっている所に２つの孔があるので、ここに（１４）のリベットにて動かないように固定する。
【産業上の利用可能性】
【００１０】
道具は出入り口の傘立てに保管して置き必要時にはすぐ使えるように家庭の玄関、町内の集会場、事務所、旅館、診療所、趣味の教室等に使用でき便利である。
【符号の説明】
【００１１】
１  握り手
２  指掛け爪
３  反発スプリング
４  固定用ボルト
５  操作パイプ
６  本体軸パイプ
７  第１ヘラを動かすためのアーム付部品
８  孔バカ穴
９  第２ヘラ
１０  第１ヘラ
１１  貫通孔
１２  リベットの頭がぶつからない様にした長孔
１３  ネジ山
１４  リベット
１５  固定用ボルト
１６  孔
１７  草履
１８  靴
１９  第１ヘラの支持板
２０  本体軸の下端に設けるための孔
２１  （１６）のアームに固定するための孔
２２  下駄や草履の鼻緒を収めるための切り込み
Ｉ、Ｊ、Ｋ、Ｌは使い勝手を示す記号図
【手続補正２】
【補正対象書類名】特許請求の範囲
【補正対象項目名】全文
【補正方法】変更
【補正の内容】
【特許請求の範囲】
【請求項１】
本体パイプ（６）と、該本体パイプ（６）の外周面に摺動可能に設置された操作パイプ（５）と、該操作パイプ（５）の下端部に固定されたアーム付部品（７）と、該アーム付部品（７）のアーム（１６）と回動可能に連結され、かつ、前記本体パイプ（６）とその下端で回動可能に連結された第１のヘラ（１０）と、前記本体パイプ（６）の下端に固定された第２のヘラ（９）と、前記操作パイプ（５）の上端部の外周面に固定された指掛け爪部品（２）と、前記本体パイプ（６）の上部から挿入され、下端部が前記操作パイプ（５）の上端面で接するスプリング（３）と、前記本体パイプ（６）の上端面に固定されるとともに、該本体パイプ（６）の上端部を密閉する握り手（１）とからなることを特徴とする２枚ヘラで履物の向きを変える道具。
【手続補正書】
【提出日】平成21年4月30日(2009.4.30)
【手続補正１】
【補正対象書類名】明細書
【補正対象項目名】００１１
【補正方法】変更
【補正の内容】
【００１１】
１  握り手
２  指掛け爪
３  反発スプリング
４  固定用ボルト
５  操作パイプ
６  本体軸パイプ
７  第１ヘラを動かすためのアーム付部品
８  孔バカ穴
９  第２ヘラ
１０  第１ヘラ
１１  貫通孔
１２  リベットの頭がぶつからない様にした長孔
１３  ネジ山
１４  リベット
１５  固定用ボルト
１６  アーム
１７  草履
１８  靴
１９  第１ヘラの支持板
２０  本体軸の下端に設けるための孔
２１  （１６）のアームに固定するための孔
２２  下駄や草履の鼻緒を収めるための切り込み
Ｉ、Ｊ、Ｋ、Ｌは使い勝手を示す記号図
【手続補正２】
【補正対象書類名】図面
【補正対象項目名】図１
【補正方法】変更
【補正の内容】
【図１】
2010158446.tif 000025
【手続補正３】
【補正対象書類名】図面
【補正対象項目名】図７
【補正方法】変更
【補正の内容】
【図７】
2010158446.tif 000026
【手続補正４】
【補正対象書類名】図面
【補正対象項目名】図８
【補正方法】変更
【補正の内容】
【図８】
2010158446.tif 000027
【手続補正５】
【補正対象書類名】図面
【補正対象項目名】図２２
【補正方法】変更
【補正の内容】
【図２２】
2010158446.tif 000028